(57)【要約】      （修正有）【課題】本発明は特に電力を遮断しない自然エネルギー発電によりガスハイドレートを回収する新規なガスハイドレート回収装置を提供する。【解決手段】資源回収手段と、筒状内部貫通部材と、継続的電力供給手段と、気体排気手段を備え、資源回収槽内で上部気体層の気体を前記継続的電力供給手段により排気し前記資源回収槽内の水面を前記資源回収槽外の水面より上部に移動させることにより前記筒状内部貫通部材を前記資源回収槽の上部に移動させ資源排出用開口より前記資源回収槽に回収された深層水を含む資源を外部に排出してガスハイドレートを含む資源を回収するガスハイドレート回収装置。【選択図】なし【特許請求の範囲】
【請求項１】
上部気体排出開口と水面上の資源排出用開口を一端の上部に具備すると共に資源回収開口を他端の下部に具備する資源回収用管と、前記資源回収用管の内部を貫通し内部の水面が前記資源回収用管外の水面と同じの際前記資源排出用開口を閉鎖する比重が水より小さく中央開口を具備する筒形内部貫通部材と、波力発電等の継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記資源排出用開口より資源を含む深層水を前記資源回収用管の外に放出すると共に前記資源回収用管内のガスハイドレートを含む資源と海水又は湖水を徐々に上部に移動させて循環することにより前記資源回収開口からガスハイドレートを前記資源回収用管に回収し前記気体排気手段によりガスハイドレートが気化したガスを前記上部気体排出開口から回収することを特徴とするガスハイドレート回収装置。
【請求項２】
上部気体排出開口及び水面上の下部の深層水のみを通過させるフィルターを具備する深層水排出用開口を一端の上部に具備すると共に資源回収開口と前記資源回収開口を閉鎖する資源開口閉鎖手段を他端の下部に具備する資源回収用管と、前記資源回収用管の一端の上部を保持する保持部材と前記深層水排出用開口から排出される深層水を貯水する着脱可能な貯水槽を具備する浮体構造物と、前記資源回収用管の内部を貫通し内部の水面が前記資源回収用管外の水面と同じの際前記深層水排出用開口を閉鎖する比重が水より小さく中央開口を具備する筒形内部貫通部材と、波力発電等の継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記深層水排出用開口より深層水を前記資源回収用管の外に放出して前記貯水槽に貯水すると共に前記資源回収用管内の海水又は湖水徐々に上部に移動させて循環することにより前記資源回収開口より挿入されたガスハイドレートを含む前記資源を前記資源回収用管内に採取又は採掘すると共に前記気体排気手段によりガスハイドレートが気化したガスを前記上部気体排出開口から回収した後、前記資源開口閉鎖手段により前記資源回収開口を閉鎖して前記資源を捕獲すると共に前記資源回収用管の前記資源回収開口を海面又は湖面近傍に移動し前記資源回収用管を水平方向に移動して捕獲したガスハイドレートを含む前記資源を回収することを特徴とするガスハイドレート回収装置。
【請求項３】
一端の上部に大きな内外径を具備し上部気体層と前記上部気体層の気体を排出する上部の気体排出開口と水面上の資源排出用開口を備えた深層水を含む資源を貯蔵する資源回収槽と前記資源回収槽の下部に他端の資源回収開口を備えた深層水取水管を有するガスハイドレートを含む資源を回収する資源回収手段と、前記資源回収槽の内部を貫通し内部の水面が前記資源回収槽外の水面と同じである際前記資源排出用開口を閉鎖する比重が水より小さな筒状内部貫通部材と、前記気体排出開口から前記筒形内部貫通部材の上部の気体を排気する継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させことにより前記筒状内部貫通部材を前記資源回収槽の上部に移動させ前記資源排出用開口より資源を含む深層水を前記資源回収槽の外に放出すると共に前記資源回収手段内のガスハイドレートを含む資源と海水又は湖水を徐々に上部に移動させて循環することにより前記資源回収開口からガスハイドレートを回収すると共に回収したガスハイドレートが気化したガスを前記気体排出開口から前記気体排気手段により回収することを特徴とするガスハイドレート回収装置。
【請求項４】
一端の上部に大きな内外径を具備し上部気体層と前記上部気体層の気体を排出する上部の気体排出開口と水面上の資源排出用開口を備えた深層水を含む資源を貯蔵する資源回収槽と前記資源回収槽の下部に他端の資源回収開口を備えた深層水取水管を有する資源回収手段と、前記資源回収槽の内部を貫通し内部の水面が前記資源回収槽外の水面と同じである際前記資源排出用開口を閉鎖する比重が水より小さな筒状内部貫通部材と、波力発電等電力を継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により前記気体排出開口から排気し前記資源回収槽内の水面を前記資源回収槽外の水面より上部に移動させることにより前記筒状内部貫通部材を前記資源回収槽の上部に移動させ前記資源排出用開口より前記資源回収槽に回収された深層水を含む資源を外部に排出してガスハイドレートを含む資源を前記資源排出用開口より外部に排出してガスハイドレートを含む資源を前記資源回収開口から前記資源回収手段に回収すると共に前記気体排気手段によりガスハイドレートが気化したガスを前記気体排出開口から回収することを特徴とするガスハイドレート回収装置。
【請求項５】
前記継続的電力供給手段が自然エネルギー発電手段と蓄電装置を具備することを特徴とする請求項1〜４に記載のガスハイドレート回収装置である。
【請求項６】
一端の上部に大きな内外径を具備し上部気体層と前記上部気体層の気体を排出する上部の気体排出開口と水面上の資源排出用開口を備え深層水を含むガスハイドレートを回収する資源回収槽と前記資源回収槽の下部に他端の資源回収開口を備えた深層水取水管を有するガスハイドレート採掘手段と、前記資源回収槽の内部を貫通し内部の水面が前記資源回収槽外の水面と同じである際前記資源排出用開口を閉鎖する比重が水より小さな筒状内部貫通部材と、波力発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記気体排気手段によりガスハイドレートが気化したガスを前記気体排出開口から回収することを特徴とするガスハイドレート回収装置。
【請求項７】
一端の上部に大きな内外径を具備し上部気体層と前記上部気体層の気体を排出する上部の気体排出開口と水面上の資源排出用開口を備え深層水を含む資源を回収する資源回収槽と前記資源回収槽の下部に他端の資源回収開口を備えた深層水取水管を有する資源回収手段と、前記資源回収槽の内部を貫通し内部の水面が前記資源回収槽外の水面と同じである際前記資源排出用開口を閉鎖する比重が水より小さな筒状内部貫通部材と、深層水温度差発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記継気体排気手段によりガスハイドレートが気化したガスを前記気体排出開口から回収することを特徴とするガスハイドレート回収装置。
【請求項８】
作動流体ガ深層水に通過する凝縮器と作動流体ガ表層水に通過する蒸発器を有する深層水温度差発電装置において、作動流体の気体を内蔵する作動気体空間と中央部軸受と前記中央部軸受を中心に回転する回転翼を有する大型回転子とを備えた大型回転子内蔵室と、一端の上部に大きな内外径を具備し上部空気層と前記上部空気層の空気を排出する上部の空気排出開口と水面上の水排出用開口とを備えた深層水貯蔵槽と前記深層水貯蔵槽の下部に他端の深層水取水開口を備えたライザー管を具備する深層水取水手段と前記深層水貯蔵槽の内部を貫通し内部の水面が前記深層水貯蔵槽外の水面と同じである際前記水排出用開口を閉鎖する比重が水より小さな筒状内部貫通部材とを有し前記深層水貯蔵槽内で上部の空気を継続的電力供給手段により排気し前記深層水貯蔵槽内の水面を前記深層水貯蔵槽外の水面より上部に移動させることにより前記筒状内部貫通部材を前記深層水貯蔵槽の上部に移動させ前記水排出用開口より前記深層水貯蔵槽に貯蔵された深層水を外部に排出する深層水貯蔵浮体部材と、前記深層水貯蔵浮体部材の前記深層水貯蔵槽の外側に配置され一端の上部に大きな内外径を具備し上部気体層と前記上部気体層の気体を排出する上部の気体排出開口と水面上の資源排出用開口及び水面下での加熱手段を備えた深層水を含むガスハイドレート等の資源を回収する環状資源回収槽と前記環状資源回収槽の下部に他端の資源採掘開口を備えた深層水取水管を有する資源採掘手段と前記環状資源回収槽の内部を貫通し内部の水面が前記環状資源回収槽外の水面と同じである際前記資源排出用開口を閉鎖する比重が水より小さな筒状内部貫通部材を備えた資源回収手段と、前記環状資源回収槽の外側に配置され底部から表層水が挿入される筒状表層水貯蔵浮体部材と、前記筒状表層水貯蔵浮体部材内に内蔵される作動流体の蒸発器と、前記大型回転子内蔵室の作動気体空間と前記深層水貯蔵槽に内蔵される凝縮器を連結する第一連結管を内蔵する第一の気密性部材と、前記回転翼に噴射する先端ノズルを備え前記大型回転子内蔵室の作動回転気体空間と前記蒸発器を連結する第二連結管を内蔵し円周上略等間隔の角度で配置される複数個の第二の気密性部材と、前記蒸発器と前記凝縮器を連結する作動流体連結管とを具備し、前記深層水貯蔵槽内で前記筒状内部貫通部材の上部の空気を排気し前記深層水貯蔵槽内の水面を前記深層水貯蔵槽外の水面より上部に移動させることにより前記筒状内部貫通部材を上部に移動させ前記水排出用開口より回収された深層水を前記深層水貯蔵槽の外に排出して前記ライザー管内の海水又は湖水を上部に移動させ前記深層水取水手段内の海水又は湖水を循環することにより前記深層水取水開口より深層水を前記深層水貯蔵槽内に取水すると共に前記大型子内蔵室の作動気体空間と前記凝縮器を連結する前記第一連結管を通過した前記作動気体が前記深層水貯蔵槽内の前記凝縮器により液体の作動流体となり、前記液体の作動流体は前記作動流体連結管を介して前記筒状表層水貯蔵浮体部材に内蔵された蒸発器を通過して気体の作動流体となり前記第二連結管に備えられた先端ノズルを介して大型回転子の前記回転翼に噴射すると共に前記環状資源回収槽内で前記上部気体層の気体を継続的電力供給手段により排気し前記環状資源回収槽内の水面を前記環状資源回収槽外の水面より上部に移動させることにより前記筒状内部貫通部材を前記環状資源回収槽の上部に移動させ前記資源排出用開口より前記環状資源回収槽に回収された深層水を含む資源を外部に排出してガスハイドレートを含む資源を回収すると共に電力を継続的に供給可能な前記気体排気手段によりガスハイドレートが気化したガスを前記気体排出開口から回収することを特徴とする 深層水温度差発電装置を具備するガスハイドレート回収装置。
【発明の詳細な説明】
【技術分野】
【０００１】
本発明は継続的電力供給手段によるガスハイドレート回収装置に関する。
【背景技術】
【０００２】
日本の国土は世界第60位であるが、日本の排他的経済区域にメタンハイドレート等の大量のガスハイドレートが海底に推積しており、ガスハイドレートをエネルギーとして利用することは重要である。ガスハイドレートの密度は海水より軽いため、海底面で生成したガスハイドレートは浮上し、周囲に堆積しない。また、海水面に浮上したガスハイドレートは低温高圧でないので気化する。なお、本発明における資源とはガスハイドレートを含む全ての資源を意味する。電力を継続的に供給可能な継続的電力供給手段として波力発電（例えば、特開２０１３−１８１４９６）、海底温度差発電（例えば、非特許文献１）及び自然エネルギー発電と蓄電装置（例えば、WO２０１１／０３０３８０）は既に提案されている。また、本出願人は水中資源回収装置(特願２０１５ー２７３７）、深層水取水装置及び深層水温度差発電装置（特願２０１６ー１６０４３９）を既に提案している。
【先行技術文献】
【特許文献】
【０００３】
【特許文献１】特開２０１３−１８１４９６
【特許文献２】WO２０１１／０３０３８０
【非特許文献】
【０００４】
【非特許文献１】未来をひらく海洋温度差発電(2007.2.1発行  サンマーク出版発行  著者  上原春男）
【発明の概要】
【発明が解決しようとする課題】
【０００５】
本発明は電力を継続的に供給可能な継続的電力供給手段によりガスハイドレートが気化したメタン等のガスを回収する新規なガスハイドレート回収装置を提供する。
【課題を解決するための手段】
【０００６】
本願発明は、気体排出開口と水面上の資源排出用開口或いは深層水排出用開口を一端の上部に備え他端に資源回収開口を備えた資源回収手段と前記資源回収手段の前記気体排出開口から気化したメタン等のガスを回収するガスハイドレート回収装置を提供する。
【０００７】
請求項1に記載のガスハイドレート回収装置は,上部気体排出開口と水面上の資源排出用開口を一端の上部に具備すると共に資源回収開口を他端の下部に具備する資源回収用管と、前記資源回収用管の内部を貫通し内部の水面が前記資源回収用管外の水面と同じの際前記資源排出用開口を閉鎖する比重が水より小さく中央開口を具備する筒形内部貫通部材と、波力発電等の継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記資源排出用開口より資源を含む深層水を前記資源回収用管の外に放出すると共に前記資源回収用管内のガスハイドレートを含む資源と海水又は湖水を徐々に上部に移動させて循環することにより前記資源回収開口からガスハイドレートを含む資源を前記資源回収用管に回収すると共に前記気体排気手段によりガスハイドレートが気化したガスを前記上部気体排出開口から回収することを特徴とする。
【０００８】
請求項２に記載のガスハイドレート回収装置は、上部気体排出開口及び水面上の下部の深層水のみを通過させるフィルターを具備する深層水排出用開口を一端の上部に具備すると共に資源回収開口と前記資源回収開口を閉鎖する資源開口閉鎖手段を他端の下部に具備する資源回収用管と、前記資源回収用管の一端の上部を保持する保持部材と前記深層水排出用開口から排出される深層水を貯水する着脱可能な貯水槽を具備する浮体構造物と、前記資源回収用管の内部を貫通し内部の水面が前記資源回収用管外の水面と同じの際前記深層水排出用開口を閉鎖する比重が水より小さく中央開口を具備する筒形内部貫通部材と、波力発電等の継続的に電力を供給可能な継続的電力供給手段と、前記上部気体排出開口と接続され前記資源回収用管内で前記筒形内部貫通部材の上部の気体を排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記深層水排出用開口より深層水を前記資源回収用管の外に放出して前記貯水槽に貯水すると共に前記資源回収用管内の海水又は湖水徐々に上部に移動させて循環することにより前記資源回収開口より挿入されたガスハイドレートを含む前記資源を前記資源回収用管内に採取又は採掘すると共に前記気体排気手段によりガスハイドレートが気化したガスを前記上部気体排出開口から回収した後、前記資源開口閉鎖手段により前記資源回収開口を閉鎖して前記資源を捕獲すると共に前記資源回収用管の前記資源回収開口を海面又は湖面近傍に移動し前記資源回収用管を水平方向に移動して捕獲したガスハイドレートを含む前記資源を回収することを特徴とする。
【０００９】
請求項３に記載のガスハイドレート回収装置は、一端の上部に大きな内外径を具備し上部気体層と前記上部気体層の気体を排出する上部の気体排出開口と水面上の資源排出用開口を備え深層水を含む資源を貯蔵する資源回収槽と前記資源回収槽の下部に他端の資源回収開口を備えた深層水取水管を有するガスハイドレートを含む資源を回収する資源回収手段と、前記資源回収槽の内部を貫通し内部の水面が前記資源回収槽外の水面と同じである際前記資源排出用開口を閉鎖する比重が水より小さな筒状内部貫通部材と、前記気体排出開口から前記筒形内部貫通部材の上部の気体を排気する継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記気体排気手段により排気し前記資源回収槽内の水面を前記資源回収槽外の水面より上部に移動させことにより前記筒状内部貫通部材を前記資源回収槽の上部に移動させ前記資源排出用開口より資源を含む深層水を前記資源回収槽の外に放出すると共に前記資源回収手段内のガスハイドレートを含む資源と海水又は湖水を徐々に上部に移動させて循環することにより前記資源回収開口からガスハイドレートを回収すると共に回収したガスハイドレートが気化したガスを前記気体排出開口から前記気体排気手段により回収することを特徴とする。
【００１０】
請求項４に記載のガスハイドレート回収装置は、一端の上部に大きな内外径を具備し上部気体層と前記上部気体層の気体を排出する上部の気体排出開口と水面上の資源排出用開口を備えた深層水を含む資源を貯蔵する資源回収槽と前記資源回収槽の下部に他端の資源回収開口を備えた深層水取水管を有する資源回収手段と、前記資源回収槽の内部を貫通し内部の水面が前記資源回収槽外の水面と同じである際前記資源排出用開口を閉鎖する比重が水より小さな筒状内部貫通部材と、波力発電等電力を継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記気体排気手段により前記気体排出開口から排気し前記資源回収槽内の水面を前記資源回収槽外の水面より上部に移動させることにより前記筒状内部貫通部材を前記資源回収槽の上部に移動させ前記資源排出用開口より前記資源回収槽に回収された深層水を含む資源を外部に排出してガスハイドレートを含む資源を前記資源排出用開口より外部に排出してガスハイドレートを含む資源を前記資源回収開口から前記資源回収手段に回収すると共に前記気体排気手段によりガスハイドレートが気化したガスを前記気体排出開口から回収することを特徴とする。
【００１１】
請求項５に記載のガスハイドレート回収装置は、前記継続的電力供給手段が自然エネルギー発電手段と蓄電装置を具備することを特徴とする請求項1〜４に記載のガスハイドレート回収装置である。
【００１２】
請求項６に記載のガスハイドレート回収装置は、上部の気体排出開口と水面上の資源排出用開口を備え深層水を含むガスハイドレートを回収する資源回収槽と前記資源回収槽の下部に他端の資源回収開口を備えた深層水取水管を有するガスハイドレート採掘手段と、前記資源回収槽の内部を貫通し内部の水面が前記資源回収槽外の水面と同じである際前記資源排出用開口を閉鎖する比重が水より小さな筒状内部貫通部材と、波力発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記気体排気手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記気体排気手段によりガスハイドレートが気化したガスを前記気体排出開口から回収することを特徴とする。
【００１３】
請求項７に記載のガスハイドレート回収装置は、一端の上部に大きな内外径を具備し上部気体層と前記上部気体層の気体を排出する上部の気体排出開口と水面上の資源排出用開口を備え深層水を含む資源を回収する資源回収槽と前記資源回収槽の下部に他端の資源回収開口を備えた深層水取水管を有する資源回収手段と前記資源回収槽の内部を貫通し内部の水面が前記資源回収槽外の水面と同じである際前記資源排出用開口を閉鎖する比重が水より小さな筒状内部貫通部材と、深層水温度差発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記気体排気手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記気体排気手段によりガスハイドレートが気化したガスを前記気体排出開口から回収することを特徴とする。
【００１４】
請求項８に記載の深層水温度差発電装置を具備するガスハイドレート回収装置は、作動流体ガ深層水に通過する凝縮器と作動流体ガ表層水に通過する蒸発器を有する深層水温度差発電装置において、作動流体の気体を内蔵する作動気体空間と中央部軸受と前記中央部軸受を中心に回転する回転翼を有する大型回転子とを備えた大型回転子内蔵室と、一端の上部に大きな内外径を具備し上部空気層と前記上部空気層の空気を排出する上部の空気排出開口と水面上の水排出用開口とを備えた深層水貯蔵槽と前記深層水貯蔵槽の下部に他端の深層水取水開口を備えたライザー管を具備する深層水取水手段と前記深層水貯蔵槽の内部を貫通し内部の水面が前記深層水貯蔵槽外の水面と同じである際前記水排出用開口を閉鎖する比重が水より小さな筒状内部貫通部材とを有し前記深層水貯蔵槽内で上部の空気を継続的電力手段により排気し前記深層水貯蔵槽内の水面を前記深層水貯蔵槽外の水面より上部に移動させることにより前記筒状内部貫通部材を前記深層水貯蔵槽の上部に移動させ前記水排出用開口より前記深層水貯蔵槽に貯蔵された深層水を外部に排出する深層水貯蔵浮体部材と、前記深層水貯蔵浮体部材の前記深層水貯蔵槽の外側に配置され一端の上部に大きな内外径を具備し上部気体層と前記上部気体層の気体を排出する上部の気体排出開口と水面上の資源排出用開口及び水面下での加熱手段を備えた深層水を含むガスハイドレート等の資源を回収する環状資源回収槽と前記環状資源回収槽の下部に他端の資源採掘開口を備えた深層水取水管を有する資源採掘手段と前記環状資源回収槽の内部を貫通し内部の水面が前記環状資源回収槽外の水面と同じである際前記資源排出用開口を閉鎖する比重が水より小さな筒状内部貫通部材を備えた資源回収手段と、前記環状資源回収槽の外側に配置され底部から表層水が挿入される筒状表層水貯蔵浮体部材と、前記筒状表層水貯蔵浮体部材内に内蔵される作動流体の蒸発器と、前記大型回転子内蔵室の作動気体空間と前記深層水貯蔵槽に内蔵される前記凝縮器を連結する第一連結管を内蔵する第一の気密性部材と、前記回転翼噴射する先端ノズルを備え前記大型回転子内蔵室の作動気体空間と前記蒸発器を連結する第二連結管を内蔵し円周上略等間隔の角度で配置される複数個の第二の気密性部材と、前記蒸発器と前記凝縮器を連結する作動流体連結管とを具備し、前記深層水貯蔵槽内で前記筒状内部貫通部材の上部の空気を排気し前記深層水貯蔵槽内の水面を前記深層水貯蔵槽外の水面より上部に移動させることにより前記筒状内部貫通部材を上部に移動させ前記水排出用開口より回収された深層水を前記深層水貯蔵槽の外に排出して前記ライザー管内の海水又は湖水を上部に移動させ前記深層水取水手段内の海水又は湖水を循環することにより前記深層水取水開口より深層水を前記深層水貯蔵槽内に取水すると共に前記大型回転子内蔵室の作動気体空間と前記凝縮器を連結する前記第一連結管を通過した前記作動気体が前記深層水貯蔵槽内の前記凝縮器により液体の作動流体となり、前記液体の作動流体は前記作動流体連結管を介して前記筒状表層水貯蔵浮体部材に内蔵された蒸発器を通過して気体の作動流体となり前記第二連結管に備えられた先端ノズルを介して大型回転子の前記回転翼に噴射すると共に前記環状資源回収槽内で前記上部気体層の気体を継続的電力供給手段により排気し前記環状資源回収槽内の水面を前記環状資源回収槽外の水面より上部に移動させることにより前記筒状内部貫通部材を前記環状資源回収槽の上部に移動させ前記資源排出用開口より前記環状資源回収槽に回収された深層水を含む資源を外部に排出してガスハイドレートを含む資源を回収すると共に電力を継続的に供給可能な前記継続的電力供給手段によりガスハイドレートが気化したガスを前記気体排出開口から回収することを特徴とする。
【発明の効果】
【００１５】
本発明のガスハイドレート回収装置は、前記継続的電力供給手段の電力は遮断することなく供給される波力発電或いは深層水温度差発電であり太陽光発電や風力発電のように電力が遮断される自然エネルギー発電手段の場合にはその蓄電装置が備えていて前記気体排出開口から排出されるメタン等のガスは当初は空気ではあるがガスハイドレートが気化した気体を前記気体排出開口から連続して間断なく排出可能になる。
前記資源回収手段の資源回収用管に回収された深層水を含む資源は移動して回収され、又前記資源回収槽に回収された深層水を含む資源は前記資源排出用開口より資源貯蔵船或いは資源貯蔵装置に貯蔵され液体の深層水と固体の資源に分別される。
【発明を実施するための形態】
【００１６】
本発明によるガスハイドレート回収装置の第一の実施形態は資源回収手段が資源回収用管に資源が回収される実施例で、上端部に大口径蛇腹管部を具備すると共に上部気体排出開口と水面上の下部の深層水のみを通過させるフィルタを備えた深層水排出用開口及び水面下での加熱手段を一端の上部に具備すると共に資源回収開口と前記資源回収開口を閉鎖する資源回収開口閉鎖手段を他端の下部に具備する例えば円形資源回収用管と、前記円形資源回収用管の一端の上部を保持する保持部材と前記深層水排出用開口から排出される深層水を貯水する着脱可能な貯水槽を具備すると共に前記円形資源回収用管の水面との角度を少し変更する角度変更手段を具備する浮体構造物と、前記円形資源回収用管の内部を貫通し内部の水面が前記円形資源回収用管外の水面と同じの際前記深層水排出用開口を閉鎖する比重が水より小さく中央開口を具備する円筒形内部貫通部材と、波力発電等の継続的に供給可能な継続的電力供給手段と、前記上部気体排出開口と接続され前記円形資源回収用管内で前記円筒形内部貫通部材の上部の気体を前記継続的電力供給手段により排気する気体排気手段と、前記円形資源回収用管下部に具備された撮像手段及び発光手段と、前記円形資源回収用管の上端部に具備され前記撮像手段の出力を表示する表示手段を備え、前記角度変更手段により前記円形資源回収用管の水面との角度を少し変更すると共に前記表示手段により前記円形資源回収用管下部の資源を検出し前記気体排気手段により前記円形資源回収用管内の前記円筒形内部貫通部材の上部の気体を排気することにより前記円形資源回収用管内の水面を前記円形資源回収用管外の水面より上部に移動させて前記円筒形内部貫通部材を前記円形資源回収用管内の上部に移動させ前記深層水排出用開口より深層水を前記円形資源回収用管の外に放出して前記貯水槽に貯水すると共に前記円形資源回収用管内の海水又は湖水を徐々に上部に移動させて循環することにより前記資源回収開口より挿入された前記資源を前記円形資源回収用管内に採取又は採掘すると共に電力を継続的に供給可能な前記気体排気手段によりガスハイドレートが気化したガスを前記上部気体排出開口から回収した後、前記資源開口閉鎖手段により前記資源回収開口を閉鎖して前記資源を捕獲すると共に前記大口径蛇腹部管を伸ばすとと共に前記円形資源回収用管の前記資源回収開口を海面又は湖面或いは川面近傍に移動し前記大口径蛇腹管部を伸ばした前記円形資源回収用管を水平方向に移動して捕獲した前記資源を回収することを特徴とする。
【００１７】
電力を継続的に供給可能な前記継続的電力供給手段であるので前記上部気体排出開口に供給される電力は遮断することなく供給され前記上部気体排出開口から排出される気体は初め空気ではあるが、その後は前記円筒形内部貫通部材が中央に開口を備えているので前記円形資源回収用管内のガスハイドレートが気化したガスを前記上部気体排出開口から連続して排出される。また、前記円形資源回収用管の上部に浮上してきたガスハイドレートは水面下での前記加熱手段により気化される。
【００１８】
前記円形資源回収用管を海底又は湖底まで敷設する前には、前記円形資源回収用管の下部にくさりを繋ぐと共に海水又は湖水を充填した状態で前記円形資源回収用管下部を海底又は湖底まで敷設する。深さが深い海底又は湖底の場合、前記円形資源回収用管の一実施例は例えば１キロメートルの長さで長さが調節可能で下部にいくほど内外径が小さな何重にも重なる円形資源回収用管で構成し、敷設する前に海上或いは湖上から海底或いは湖底の深さを計測し、何重にも重なる前記円形資源回収用管を海底或いは湖底の計測された長さにすると共に前記円形資源回収用管内に海水又は湖水を充填した状態で前記円形資源回収用管下部の前記くさりを介して海底或いは湖底まで敷設する。
また深さが深い海底又は湖底の場合、前記円形資源回収用管の他の実施例は例えば１キロメートルの長さで長さが調節可能で下部にいくほど内外径が小さな何重にも重なる円形資源回収用管と中心部を長さが調節可能で下部にいくほど内外径が小さな何重にも重なる軸で構成し、何重にも重なる前記軸により何重にも重なる前記円形資源回収用管の下部を海底又は湖底に到達させ海底又は湖底まで敷設する。
【００１９】
前記円形資源回収用管内の水面を前記円形資源回収用管外の水面より上部に移動させる水の容量は前記深層水排出用開口より排出する深層水の容量より比較的大きくなるべく円形資源回収用管上部の内外形を大きくする。なお、中央開口を具備する前記円筒形内部貫通部材の移動を制限するストッパを前記円形資源回収用管内に具備し、前記深層水排出用開口より排出する水量を制限する。前記円形資源回収用管の上部が下部に比較して内外径を大きくし下部は前記円形資源回収用管中間部の内外径を徐々に小さな内外径にし、前記円形資源回収用管最下部の前記資源回収開口の内外径を資源が通過可能な程度に小さくする。小さくすると循環する水流を早めることが可能となり採取或いは採掘の効率がよい。前記資源回収開口を前記円形資源回収用管最下部に複数個具備する構成も考えられる。なお、前記資源回収開口は下部開口を具備する筺体内に下部開口以外は密閉して内蔵され採取或いは採掘の際、環境に影響を与えないよう配慮されている。最下部を広い面積で下部開口を具備する円形筺体とし最下部真上部に内外径を資源が通過可能な程度に小さく水流の循環を早める資源回収開口を具備する構成により最下部での採取或いは採掘の面積を広くすることは可能である。小さくした内外径の前記資源採掘開口の直上部に前記資源回収開口を閉鎖する閉鎖手段を備え、採取或いは採掘した資源を捕獲する構成にする。前記円形資源回収用管の一端の上部を保持するとともにその水面との角度を少し変更する手段を具備する海上又は湖上の浮体構造物を備え、前記円形資源回収用管の水面との角度を少し変更すれば、海底又は湖底の採取場所又は採掘場所を変更することが可能である。
【００２０】
前記円形資源回収用管下部に撮像手段及び発光手段と前記円形資源回収用管の上端部に前記撮像手段の出力を表示する表示手段を備え、前記円形資源回収用管の水面との角度を少し変更すれば、海底又は湖底の採取場所又は採掘場所の資源の状況を前記表示手段により表示することが可能となる。
前記円形資源回収用管の海底又は湖底の下部又は外部に或いは下部及び外部に資源を掘削或いは粉砕する資源掘削手段或いは資源粉砕手段を具備していれば資源を容易に採掘できる。また、前記資源掘削手段或いは資源粉砕手段及び資源回収開口は下部開口を具備する筺体内に下部以外は密閉して内蔵されている。したがって、掘削或いは粉砕された切り屑は前記筺体内で密封され、内外径の小さい前記資源回収開口により循環する早い水流で採掘の効率がよく採掘されるので周辺環境に影響を与えることはない。
【００２１】
なお、前記円形資源回収用管の上部が下部に比較して内外径を大きくし前記円形資源回収用管の中間部をフレキシブル或いは柔軟で内外径が小さな管にする実施例、前記円形資源回収用管の上部が下部に比較して内外径を大きくし下部は前記円形資源回収用管を何重にも重なり下部にいくほど内外径が小さな管で長さを調節する実施例、前記円形資源回収用管の上部が下部に比較して内外径を大きくし下部は前記円形資源回収用管を下部にいくほど内外径が小さな長さを調節する大口径蛇腹管部の実施例が実施可能で、前記三実施例の場合、長さが調節可能で前記円形資源回収用管下部を操作可能な操作部材により前記資源掘削手段或いは資源粉砕手段を操作する。
その場合、上部が前記円形資源回収用管下部と前記外部操作部材により貫通され開口を具備する筺体内に前記資源掘削手段或いは資源粉砕手段は密封して内蔵され、掘削或いは粉砕された資源等が前記資源回収開口を介して前記円形資源回収用管内に採掘され前記円形資源回収用管の前記深層水排出用開口から排出される深層水が着脱可能な貯蔵槽により貯水されるので周辺環境に影響を与えない。
【００２２】
前記円形資源回収用管の海底又は湖底近傍の下部に前記資源掘削手段を具備している場合、前記資源掘削手段は移動する構成にして例えばメタンハイドレートの有機物資源は比重が深層水より小さいので水面下近傍に到達し前記円形資源回収用管の上面部に具備する電気加熱装置により加熱されてメタンハイドレートは気化し、レアアース泥、海水熱水鉱床等の無機物資源は前記円形資源回収用管の下面部に沈殿する構成となる。
また、ガスハイドレートの有機物資源が水面下近傍で前記電気加熱装置により気化し、電力を継続的に供給可能な前記継続的電力供給手段であるので前記円筒形内部貫通部材の中央開口を介して気化されたガスが前記上部気体排出開口から連続して排出され回収される。
【００２３】
前記資源回収開口より挿入された前記資源を前記円形資源回収用管内に採取又は採掘すると共に電力を継続的に供給可能な前記継続的電力供給手段によりガスハイドレートが気化したガスを前記上部気体排出開口から回収した後、前記資源開口閉鎖手段により前記資源回収開口を閉鎖して前記資源を捕獲すると共に前記大口径蛇腹部管を伸ばすとと共に前記円形資源回収用管の前記資源回収開口を海面又は湖面或いは川面近傍に移動し前記大口径蛇腹管部を伸ばした前記円形資源回収用管を水平方向に移動して捕獲した前記資源を回収する.
前記円形資源回収用管は外径が円形実施例で説明したが、正方形等任意の形状が可能である。
【００２４】
本発明によるガスハイドレート回収装置の第二の実施形態は蛇腹管を備えた資源回収用管の実施例で、気体排出開口と中央部近傍に資源排出用開口と片方側に被保持部及び水面下での加熱手段を具備する中央管と資源を採取或いは採掘する資源回収開口と前記資源回収開口を閉鎖する資源開口閉鎖手段を端部に具備し蛇腹により伸縮可能な片方蛇腹管と前記中央管のもう一方の端部に蛇腹により伸縮可能な他方蛇腹管を備えた資源回収用管と、前記中央管の内部を貫通し前記資源排出用開口を閉鎖可能な比重が水より小さな筒状内部貫通部材と、前記資源回収用管の被保持部を保持する保持部材と前記資源排出用開口から排出される資源を含む深層水を貯水する着脱可能な貯蔵槽と水面との角度を少し変更する角度変更手段を具備すると共に前記資源回収用管を水平位置或いは前記資源回収開口を海底又は湖底近傍の垂直位置に移動させる浮体構造物と、継続的電力供給手段と、前記資源回収用管内で前記筒状内部貫通部材の上部の空気を前記継続的電力供給手段により排気する気体排気手段と、前記資源回収用管下部の資源回収開口近傍に具備された撮像手段及び発光手段と前記資源回収用管の中央管部に具備され前記撮像手段の出力を表示する表示手段を備え、水平位置の際内部に水と空気を内蔵する前記資源回収用管を前記他方蛇腹管を折り畳むと共に垂直位置に移動して前記資源回収開口を海底又は湖底近傍の垂直位置に移動させた後、前記角度変更手段により前記資源回収用管の水面との角度を少し変更して前記表示手段により前記資源回収開口付近の資源を検出すると共に前記資源回収用管内で前記筒状内部貫通部材の上部の空気を前記気体排出開口から排気することにより前記中央管内の水面を前記中央管外の水面より上部に移動させて前記筒状内部貫通部材を前記中央管内の上部に移動させることにより前記資源排出用開口より海水又は湖水を含む資源を前記資源回収用管の外に放出して前記貯蔵槽により前記資源排出用開口から排出される資源を貯蔵すると共に前記資源回収用管内の海水又は湖水を徐々に上部に移動させ前記資源回収用管内の海水又は湖水を循環することにより前記資源回収開口より検出された前記資源を前記資源回収用管内に挿入しすると共に電力を継続的に供給可能な前記継続的電力供給手段の電力で前記気体排気手段によりガスハイドレートが気化したガスを前記気体排出開口から回収した後、前記資源開口閉鎖手段を閉鎖しもう一方の端部の伸縮可能な他方蛇腹管の蛇腹を伸ばすと共に前記資源回収用管を再び水平位置に移動して捕獲した前記資源を回収することを特徴とする。
【００２５】
なお、前記資源回収用管の上部に浮上してきたガスハイドレートは水面下での前記加熱手段により気化される。
前記中央管が下部の片方蛇腹管に比較して内外径を大きくし下部の片方蛇腹管の内外径を徐々に小さな内外径にしている。
【００２６】
海底又は湖底近傍の前記資源回収用管の下部又は外部或いは下部及び外部に海底又は湖底或いは川底を掘削する資源掘削手段或いは団塊を粉砕する団塊粉砕手段を具備する。        
【００２７】
また、前記資源回収用管の下部又は外部或いは下部及び外部の資源掘削手段或いは資源粉砕手段及び資源回収開口は外部筺体中に開口を介して密閉して内蔵されている。
【００２８】
採取或いは採掘する前は前記浮体構造物が資源回収用管を内部に水と空気を内蔵する状態で水平位置に保持し、採取或いは採掘の際にはもう一方の端部の蛇腹により伸縮可能な他方蛇腹管を折り畳むと共に前記片方蛇腹管を前記資源回収開口が海底又は湖底近傍に移動するべく前記資源回収用管を垂直位置に移動させる。前記中央管の被保持部は片方側にあるので前記気体排出開口と中央部近傍に資源排出用開口が水上に位置する。その後、前記角度変更手段により前記中央管の水面との角度を少し変更して前記表示手段により前記資源回収開口付近の資源を検出する共に前記中央管内で前記筒状内部貫通部材の上部の空気を前記継続的電力供給手段により排気する気体排気手段によって前記気体排出開口から排気しガスハイドレートが気化した気体を前記気体排出開口から排出されると共に 前記中央管内の水面を前記中央管外の水面より上部に移動させ前記筒状内部貫通部材を前記中央管内の上部に移動させることにより前記資源排出用開口より海水又は湖水を含む資源を前記資源回収用管の外に放出し前記貯蔵槽に貯蔵する。したがって前記資源回収用管内の海水又は湖水を徐々に上部に移動し前記資源回収用管内の海水又は湖水を循環することにより前記表示手段より検出された前記資源を前記資源回収開口から前記資源回収用管内に挿入し前記資源開口閉鎖手段を閉鎖して前記資源を捕獲することが可能となる。捕獲された前記資源は前記資源回収用管内に収納されると共に前記資源排出用開口より放出される海水又は湖水を含む資源は着脱可能な前記貯蔵槽により貯蔵されるので周囲環境に影響はない。捕獲された前記資源が十分に前記資源回収用管内に蓄積収納された後、前記資源回収用管を再び水平位置に移動する前に中央管の前記資源排出用開口を閉鎖しもう一方の端部の伸縮可能な他方蛇腹管の蛇腹を伸ばした後端部に資源回収開口を具備する前記片方蛇腹管を鎖により再び水平位置に移動し前記浮体構造物のバラスト水を制御することにより前記浮体構造物を沈めて蛇腹を伸ばし前記片方蛇腹管の蓄積収納された前記資源と海水又は湖水を内在し海水又は湖水上を浮力により浮く状態の前記資源回収用管を海水又は湖水上に浮べて前記資源を回収する。なお、前記資源回収用管を再び水平位置に移動する前に中央管の前記気体排出開口及び前記資源排出用開口は閉鎖されるので周囲環境に影響はない。
【００２９】
本発明によるガスハイドレート回収装置の第三の実施形態は資源回収槽と資源貯蔵装置及び波力発電の継続的電力供給手段を備えた第一の実施例で、一端の上部に大きな内外径と上部気体排出開口及び水面下での加熱手段を具備すると共に水面上の資源排出用開口を備えた深層水を含む資源を回収する円形資源回収槽と前記円形資源回収槽の下部に他端の資源回収開口を備えた深層水取水管を有する資源回収手段と,前記円形資源回収槽の内部を貫通し内部の水面が前記円形資源回収槽外の水面と同じである際前記資源排出用開口を閉鎖する比重が水より小さな円筒形内部貫通部材と、波力発電の継続的電力供給手段と、前記気体排出開口と接続され前記資源回収用管内で前記筒形内部貫通部材の上部の気体を排気する気体排気手段を備え、前記円形資源回収槽内で前記上部気体層の気体を前記継続的電力供給手段により前記上部気体排出開口から排気し前記円形資源回収槽内の水面を前記資源回収槽外の水面より上部に移動させることにより前記円筒形内部貫通部材を前記円形資源回収槽の上部に移動させ前記資源排出用開口より前記資源回収槽に回収された深層水を含む資源を外部に排出してガスハイドレートを含む資源を資源貯蔵装置に貯蔵すると共に電力を継続的に供給可能な前記気体排気手段によりガスハイドレートが気化したガスを前記上部気体排出開口から回収する。また、前記円形資源回収槽の上部に浮上してきた  ガスハイドレートは水面下での前記加熱手段により気化される。
前記上部気体排出開口に供給される波力電力は遮断することなく供給され前記上部気体排出開口から排出される気体は初め空気ではあるが、その後は前記円筒形内部貫通部材が中央に開口を備えているのでガスハイドレートが気化した気体を前記上部気体排出開口から排出される。
【００３０】
本発明によるガスハイドレート回収装置の第四の実施形態は資源回収槽と資源貯蔵装置及び深層水温度差発電の継続的電力供給手段を備えた第二の実施例で、一端の上部に大きな内外径と上部気体排出開口及び水面下での加熱手段を具備すると共に水面上の資源排出用開口を備えた深層水を含む資源を回収する円形資源回収槽と前記円形資源回収槽の下部に他端の資源回収開口を備えた深層水取水管を有する資源回収手段と、前記円形資源回収槽の内部を貫通し内部の水面が前記資源回収槽外の水面と同じである際前記資源排出用開口を閉鎖する比重が水より小さな円筒形内部貫通部材と、深層水温度差発電の継続的電力供給手段と、前記気体排出開口と接続され前記資源回収用管内で前記筒形内部貫通部材の上部の気体を排気する気体排気手段を備え、前記資源回収槽内で上部気体層の気体を前記継続的電力供給手段により排気し前記円形資源回収槽内の水面を前記資源回収槽外の水面より上部に移動させることにより前記円筒形内部貫通部材を前記円形資源回収槽の上部に移動させ前記資源排出用開口より前記円形資源回収槽にされた深層水を含む資源を外部の資源回収装置に排出してガスハイドレートを含む資源を回収すると共に電力を継続的に供給可能な前記継続的電力供給手段によりガスハイドレートが気化したガスを前記上部気体排出開口から回収する。また、前記円形資源回収槽の上部に浮上してきたガスハイドレートは水面下での前記加熱手段により気化される。
【００３１】
作動流体ガ深層水に通過する凝縮器と作動流体ガ表層水に通過する蒸発器を有する深層水温度差発電装置において、作動流体の気体を内蔵する作動気体空間と中央部軸受と前記中央部軸受を中心に回転する回転翼を有する大型回転子とを備えた大型回転子内蔵室と、一端の上部に大きな内外径を具備し上部空気層と前記上部空気層の空気を排出する上部の空気排出開口と水面上の水排出用開口とを備えた深層水貯蔵槽と前記深層水貯蔵槽の下部に他端の深層水取水開口を備えたライザー管を具備する深層水取水手段と前記深層水貯蔵槽の内部を貫通し内部の水面が前記深層水貯蔵槽外の水面と同じである際前記水排出用開口を閉鎖する比重が水より小さな筒状内部貫通部材とを有し前記深層水貯蔵槽内で上部の空気を継続的電力供給手段により排気し前記深層水貯蔵槽内の水面を前記深層水貯蔵槽外の水面より上部に移動させることにより前記筒状内部貫通部材を前記深層水貯蔵槽の上部に移動させ前記水排出用開口より前記深層水貯蔵槽に貯蔵された深層水を外部に排出する深層水貯蔵浮体部材と、前記深層水貯蔵浮体部材の前記深層水貯蔵槽の外側に配置され一端の上部に大きな内外径を具備し上部気体層と前記上部気体層の気体を排出する上部の気体排出開口と水面上の資源排出用開口及び水面下での加熱手段を備えた深層水を含むガスハイドレート等の資源を回収する環状資源回収槽と前記環状資源回収槽の下部に他端の資源採掘開口を備えた深層水取水管を有する資源採掘手段と前記環状資源回収槽の内部を貫通し内部の水面が前記環状資源回収槽外の水面と同じである際前記資源排出用開口を閉鎖する比重が水より小さな筒状内部貫通部材を備えた資源回収手段と、前記環状資源回収槽の外側に配置され底部から表層水が挿入される筒状表層水貯蔵浮体部材と、前記筒状表層水貯蔵浮体部材内に内蔵される作動流体の蒸発器と、前記大型回転子内蔵室の作動気体空間と前記深層水貯蔵槽に内蔵される凝縮器を連結する第一連結管を内蔵する第一の気密性部材と、前記回転翼に噴射する先端ノズルを備え前記大型回転子内蔵室の作動回転気体空間と前記蒸発器を連結する第二連結管を内蔵し円周上略等間隔の角度で配置される複数個の第二の気密性部材と、前記蒸発器と前記凝縮器を連結する作動流体連結管とを具備し、前記深層水貯蔵槽内で前記筒状内部貫通部材の上部の空気を排気し前記槽内の水面を前記深層水貯蔵槽外の水面より上部に移動させることにより前記筒状内部貫通部材を上部に移動させ前記水排出用開口より回収された深層水を前記深層水貯蔵槽の外に排出して前記ライザー管内の海水又は湖水を上部に移動させ前記深層水取水手段内の海水又は湖水を循環することにより前記深層水取水開口より深層水を前記深層水貯蔵槽内に迅速に取水すると共に前記大型回転子内蔵室の作動気体空間と前記凝縮器を連結する前記第一連結管を通過した前記作動気体が前記深層水貯蔵槽内の前記凝縮器により液体の作動流体となり、前記液体の作動流体は前記作動流体連結管を介して前記筒状表層水貯蔵浮体部材に内蔵された蒸発器を通過して気体の作動流体となり前記第二連結管に備えられた先端ノズルを介して大型回転子の前記回転翼に噴射して前記大型回転子の回転を介して深層水温度差発電を実施すると共に前記環状資源回収槽内で前記上部気体層の気体を継続的電力供給手段により排気し前記環状資源回収槽内の水面を前記環状資源回収槽外の水面より上部に移動させることにより前記筒状内部貫通部材を前記環状資源回収槽の上部に移動させ前記資源排出用開口より前記環状資源回収槽に回収された深層水を含む資源を外部に排出してガスハイドレートを含む資源を前記環状資源回収槽に回収すると共に電力を継続的に供給可能な深層水温度差発電の継続的電力供給手段の電力で前記気体排気手段によりガスハイドレートが気化したガスを前記上部気体排出開口から回収することを特徴とする。
【００３２】
また、前記環状資源回収槽の上部に浮上してきたガスハイドレートは水面下での前記加熱手段により気化される。
【手続補正書】
【提出日】平成29年4月21日(2017.4.21)
【手続補正１】
【補正対象書類名】明細書
【補正対象項目名】００３１
【補正方法】変更
【補正の内容】
【００３１】
本発明によるガスハイドレート回収装置の深層水温度差発電の継続的電力供給手段を備えた第二の実施例の一実施例は、作動流体ガ深層水に通過する凝縮器と作動流体ガ表層水に通過する蒸発器を有する深層水温度差発電装置において、作動流体の気体を内蔵する作動気体空間と中央部軸受と前記中央部軸受を中心に回転する回転翼を有する大型回転子とを備えた大型回転子内蔵室と、一端の上部に大きな内外径を具備し上部空気層と前記上部空気層の空気を排出する上部の空気排出開口と水面上の水排出用開口とを備えた深層水貯蔵槽と前記深層水貯蔵槽の下部に他端の深層水取水開口を備えたライザー管を具備する深層水取水手段と前記深層水貯蔵槽の内部を貫通し内部の水面が前記深層水貯蔵槽外の水面と同じである際前記水排出用開口を閉鎖する比重が水より小さな筒状内部貫通部材とを有し前記深層水貯蔵槽内で上部の空気を継続的電力供給手段により排気し前記深層水貯蔵槽内の水面を前記深層水貯蔵槽外の水面より上部に移動させることにより前記筒状内部貫通部材を前記深層水貯蔵槽の上部に移動させ前記水排出用開口より前記深層水貯蔵槽に貯蔵された深層水を外部に排出する深層水貯蔵浮体部材と、前記深層水貯蔵浮体部材の前記深層水貯蔵槽の外側に配置され一端の上部に大きな内外径を具備し上部気体層と前記上部気体層の気体を排出する上部の気体排出開口と水面上の資源排出用開口及び水面下での加熱手段を備えた深層水を含むガスハイドレート等の資源を回収する環状資源回収槽と前記環状資源回収槽の下部に他端の資源採掘開口を備えた深層水取水管を有する資源採掘手段と前記環状資源回収槽の内部を貫通し内部の水面が前記環状資源回収槽外の水面と同じである際前記資源排出用開口を閉鎖する比重が水より小さな筒状内部貫通部材を備えた資源回収手段と、前記環状資源回収槽の外側に配置され底部から表層水が挿入される筒状表層水貯蔵浮体部材と、前記筒状表層水貯蔵浮体部材内に内蔵される作動流体の蒸発器と、前記大型回転子内蔵室の作動気体空間と前記深層水貯蔵槽に内蔵される凝縮器を連結する第一連結管を内蔵する第一の気密性部材と、前記回転翼に噴射する先端ノズルを備え前記大型回転子内蔵室の作動回転気体空間と前記蒸発器を連結する第二連結管を内蔵し円周上略等間隔の角度で配置される複数個の第二の気密性部材と、前記蒸発器と前記凝縮器を連結する作動流体連結管とを具備し、前記深層水貯蔵槽内で前記筒状内部貫通部材の上部の空気を排気し前記槽内の水面を前記深層水貯蔵槽外の水面より上部に移動させることにより前記筒状内部貫通部材を上部に移動させ前記水排出用開口より回収された深層水を前記深層水貯蔵槽の外に排出して前記ライザー管内の海水又は湖水を上部に移動させ前記深層水取水手段内の海水又は湖水を循環することにより前記深層水取水開口より深層水を前記深層水貯蔵槽内に迅速に取水すると共に前記大型回転子内蔵室の作動気体空間と前記凝縮器を連結する前記第一連結管を通過した前記作動気体が前記深層水貯蔵槽内の前記凝縮器により液体の作動流体となり、前記液体の作動流体は前記作動流体連結管を介して前記筒状表層水貯蔵浮体部材に内蔵された蒸発器を通過して気体の作動流体となり前記第二連結管に備えられた先端ノズルを介して大型回転子の前記回転翼に噴射して前記大型回転子の回転を介して深層水温度差発電を実施すると共に前記環状資源回収槽内で前記上部気体層の気体を継続的電力供給手段により排気し前記環状資源回収槽内の水面を前記環状資源回収槽外の水面より上部に移動させることにより前記筒状内部貫通部材を前記環状資源回収槽の上部に移動させ前記資源排出用開口より前記環状資源回収槽に回収された深層水を含む資源を外部に排出してガスハイドレートを含む資源を前記環状資源回収槽に回収すると共に電力を継続的に供給可能な深層水温度差発電の継続的電力供給手段の電力で前記気体排気手段によりガスハイドレートが気化したガスを前記上部気体排出開口から回収することを特徴とする。
また、前記環状資源回収槽の上部に浮上してきたガスハイドレートは水面下での前記加熱手段により気化される。
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
一端の上部に上部気体排出開口と水面上の下部の資源排出用開口を具備すると共に資源回収開口を他端の下部に具備する資源回収用管と、前記資源回収用管の内部を貫通し内部の水面が前記資源回収用管外の水面と同じの際前記資源排出用開口を閉鎖する比重が水より小さく中央開口を具備する筒形内部貫通部材と、継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記資源排出用開口より深層水を前記資源回収用管の外に放出すると共に前記資源回収用管内のガスハイドレートを含む資源と海水又は湖水を徐々に上部に移動させて循環することにより前記資源回収開口からガスハイドレートを前記資源回収用管に回収し前記継続的電力供給手段により排気する前記気体排気手段によりガスハイドレートが気化したガスを前記上部気体排出開口から回収することを特徴とするガスハイドレート回収装置。
【請求項２】
一端の上部に上部気体排出開口及び水面上の下部の深層水のみを通過させるフィルターを具備する深層水排出用開口を具備すると共に資源回収開口と前記資源回収開口を閉鎖する資源開口閉鎖手段を他端の下部に具備する資源回収用管と、前記資源回収用管の一端の上部を保持する保持部材と前記深層水排出用開口から排出される深層水を貯水する着脱可能な貯水槽を具備する浮体構造物と、前記資源回収用管の内部を貫通し内部の水面が前記資源回収用管外の水面と同じの際前記深層水排出用開口を閉鎖する比重が水より小さく中央開口を具備する筒形内部貫通部材と、継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記深層水排出用開口より深層水を前記資源回収用管の外に放出して前記貯水槽に貯水すると共に前記資源回収用管内の海水又は湖水を徐々に上部に移動させて循環することにより前記資源回収開口より挿入されたガスハイドレートを含む前記資源を前記資源回収用管内に採取又は採掘すると共に前記気体排気手段によりガスハイドレートが気化したガスを前記継続的電力供給手段により排気する前記上部気体排出開口から回収した後、前記資源開口閉鎖手段により前記資源回収開口を閉鎖して前記資源を捕獲すると共に前記資源回収用管の前記資源回収開口を海面又は湖面近傍に移動し前記資源回収用管を水平方向に移動して捕獲したガスハイドレートを含む前記資源を回収することを特徴とするガスハイドレート回収装置。
【請求項３】
一端の上部に大きな内外径を具備し上部気体層と前記上部気体層の気体を排出する上部の気体排出開口と水面上の下部の排出用開口を備えた深層水を含む資源を貯蔵する資源回収槽と前記資源回収槽の下部に他端の資源回収開口を備えた深層水取水管を有するガスハイドレートを含む資源を回収する資源回収手段と、前記資源回収槽の内部を貫通し内部の水面が前記資源回収槽外の水面と同じである際前記資源排出用開口を閉鎖する比重が水より小さな筒状内部貫通部材と、前記気体排出開口から前記筒形内部貫通部材の上部の気体を排気する継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させことにより前記筒状内部貫通部材を前記資源回収槽の上部に移動させ前記資源排出用開口より資源を含む深層水を前記資源回収槽の外に放出すると共に前記資源回収手段内のガスハイドレートを含む資源と海水又は湖水を徐々に上部に移動させて循環することにより前記資源回収開口からガスハイドレートを回収すると共に回収したガスハイドレートが気化したガスを前記気体排出開口から前記継続的電力供給手段により排気する前記気体排気手段により回収することを特徴とするガスハイドレート回収装置。
【請求項４】
一端の上部に大きな内外径を具備し上部気体層と前記上部気体層の気体を排出する上部の気体排出開口と水面上の下部の資源排出用開口を備えた深層水を含む資源を貯蔵する資源回収槽と前記資源回収槽の下部に他端の資源回収開口を備えた深層水取水管を有する資源回収手段と、前記資源回収槽の内部を貫通し内部の水面が前記資源回収槽外の水面と同じである際前記資源排出用開口を閉鎖する比重が水より小さな筒状内部貫通部材と、継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により前記気体排出開口から排気し前記資源回収槽内の水面を前記資源回収槽外の水面より上部に移動させることにより前記筒状内部貫通部材を前記資源回収槽の上部に移動させ前記資源排出用開口より前記資源回収槽に回収された深層水を含む資源を外部に排出してガスハイドレートを含む資源を前記資源排出用開口より外部に排出してガスハイドレートを含む資源を前記資源回収開口から前記資源回収手段に回収すると共に前記継続的電力供給手段により排気する前記気体排気手段によりガスハイドレートが気化したガスを前記気体排出開口から回収することを特徴とするガスハイドレート回収装置。
【請求項５】
前記継続的電力供給手段が自然エネルギー発電手段と蓄電装置を具備することを特徴とする請求項1〜４のいずれかに記載のガスハイドレート回収装置である。
【請求項６】
一端の上部に大きな内外径を具備し上部気体層と前記上部気体層の気体を排出する上部の気体排出開口と水面上の下部の資源排出用開口を備え深層水を含むガスハイドレートを回収する資源回収槽と前記資源回収槽の下部に他端の資源回収開口を備えた深層水取水管を有するガスハイドレート採掘手段と、前記資源回収槽の内部を貫通し内部の水面が前記資源回収槽外の水面と同じである際前記資源排出用開口を閉鎖する比重が水より小さな筒状内部貫通部材と、波力発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記継続的電力供給手段により排気する前記気体排気手段によりガスハイドレートが気化したガスを前記気体排出開口から回収することを特徴とするガスハイドレート回収装置。
【請求項７】
一端の上部に大きな内外径を具備し上部気体層と前記上部気体層の気体を排出する上部の気体排出開口と水面上の下部の資源排出用開口を備え深層水を含む資源を回収する資源回収槽と前記資源回収槽の下部に他端の資源回収開口を備えた深層水取水管を有する資源回収手段と、前記資源回収槽の内部を貫通し内部の水面が前記資源回収槽外の水面と同じである際前記資源排出用開口を閉鎖する比重が水より小さな筒状内部貫通部材と、深層水温度差発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記継続的電力供給手段により排気する前記継気体排気手段によりガスハイドレートが気化したガスを前記気体排出開口から回収することを特徴とするガスハイドレート回収装置。
【請求項８】
作動流体ガ深層水に通過する凝縮器と作動流体ガ表層水に通過する蒸発器を有する深層水温度差発電装置において、作動流体の気体を内蔵する作動気体空間と、前記作動気体空間内を回転する回転翼を有する大型回転子とを備えた大型回転子内蔵室と、一端の上部に大きな内外径を具備し上部空気層と前記上部空気層の空気を排出する上部の空気排出開口と水面上の水排出用開口とを備えた深層水貯蔵槽と前記深層水貯蔵槽の下部に他端の深層水取水開口を備えたライザー管を具備する深層水取水手段と前記深層水貯蔵槽の内部を貫通し内部の水面が前記深層水貯蔵槽外の水面と同じである際前記水排出用開口を閉鎖する比重が水より小さな筒状内部貫通部材とを有し前記深層水貯蔵槽内で上部の空気を継続的電力供給手段により排気し前記深層水貯蔵槽内の水面を前記深層水貯蔵槽外の水面より上部に移動させることにより前記筒状内部貫通部材を前記深層水貯蔵槽の上部に移動させ前記水排出用開口より前記深層水貯蔵槽に貯蔵された深層水を外部に排出する深層水貯蔵浮体部材と、一端の上部に大きな内外径を具備し上部気体層と前記上部気体層の気体を排出する上部の気体排出開口と水面上の資源排出用開口及び水面下での加熱手段を備えた深層水を含むガスハイドレート等の資源を回収する環状資源回収槽と前記環状資源回収槽の下部に他端の資源採掘開口を備えた深層水取水管を有する資源採掘手段と前記環状資源回収槽の内部を貫通し内部の水面が前記環状資源回収槽外の水面と同じである際前記資源排出用開口を閉鎖する比重が水より小さな筒状内部貫通部材を備えた資源回収手段と、底部から表層水が挿入される筒状表層水貯蔵浮体部材と、前記筒状表層水貯蔵浮体部材内に内蔵される作動流体の蒸発器と、前記大型回転子内蔵室の作動気体空間と前記深層水貯蔵槽に内蔵される凝縮器を連結する第一連結管を内蔵する第一の気密性部材と、前記回転翼に噴射する先端ノズルを備え前記大型回転子内蔵室の作動回転気体空間と前記蒸発器を連結する第二連結管を内蔵し円周上略等間隔の角度で配置される複数個の第二の気密性部材と、前記蒸発器と前記凝縮器を連結する作動流体連結管とを具備し、前記深層水貯蔵槽内で前記筒状内部貫通部材の上部の空気を排気し前記深層水貯蔵槽内の水面を前記深層水貯蔵槽外の水面より上部に移動させることにより前記筒状内部貫通部材を上部に移動させ前記水排出用開口より回収された深層水を前記深層水貯蔵槽の外に排出して前記ライザー管内の海水又は湖水を上部に移動させ前記深層水取水手段内の海水又は湖水を循環することにより前記深層水取水開口より深層水を前記深層水貯蔵槽内に取水すると共に前記大型子内蔵室の作動気体空間と前記凝縮器を連結する前記第一連結管を通過した前記作動気体が前記深層水貯蔵槽内の前記凝縮器により液体の作動流体となり、前記液体の作動流体は前記作動流体連結管を介して前記筒状表層水貯蔵浮体部材に内蔵された蒸発器を通過して気体の作動流体となり前記第二連結管に備えられた先端ノズルを介して大型回転子の前記回転翼に噴射すると共に前記環状資源回収槽内で前記上部気体層の気体を継続的電力供給手段により排気し前記環状資源回収槽内の水面を前記環状資源回収槽外の水面より上部に移動させることにより前記筒状内部貫通部材を前記環状資源回収槽の上部に移動させ前記資源排出用開口より前記環状資源回収槽に回収された深層水を含む資源を外部に排出してガスハイドレートを含む資源を回収すると共に電力を継続的に供給可能な前記継続的電力供給手段により排気する前記気体排気手段によりガスハイドレートが気化したガスを前記気体排出開口から回収することを特徴とする 深層水温度差発電装置を具備するガスハイドレート回収装置。
【手続補正２】
【補正対象書類名】明細書
【補正対象項目名】０００７
【補正方法】変更
【補正の内容】
【０００７】
請求項1に記載のガスハイドレート回収装置は,一端の上部に上部気体排出開口と水面上の下部の資源排出用開口を具備すると共に資源回収開口を他端の下部に具備する資源回収用管と、前記資源回収用管の内部を貫通し内部の水面が前記資源回収用管外の水面と同じの際前記資源排出用開口を閉鎖する比重が水より小さく中央開口を具備する筒形内部貫通部材と、継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記資源排出用開口より深層水を前記資源回収用管の外に放出すると共に前記資源回収用管内のガスハイドレートを含む資源と海水又は湖水を徐々に上部に移動させて循環することにより前記資源回収開口からガスハイドレートを前記資源回収用管に回収し前記継続的電力供給手段により排気する前記気体排気手段によりガスハイドレートが気化したガスを前記上部気体排出開口から回収することを特徴とする。
【手続補正３】
【補正対象書類名】明細書
【補正対象項目名】０００８
【補正方法】変更
【補正の内容】
【０００８】
請求項２に記載のガスハイドレート回収装置は、一端の上部に上部気体排出開口及び水面上の下部の深層水のみを通過させるフィルターを具備する深層水排出用開口を具備すると共に資源回収開口と前記資源回収開口を閉鎖する資源開口閉鎖手段を他端の下部に具備する資源回収用管と、前記資源回収用管の一端の上部を保持する保持部材と前記深層水排出用開口から排出される深層水を貯水する着脱可能な貯水槽を具備する浮体構造物と、前記資源回収用管の内部を貫通し内部の水面が前記資源回収用管外の水面と同じの際前記深層水排出用開口を閉鎖する比重が水より小さく中央開口を具備する筒形内部貫通部材と、継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記深層水排出用開口より深層水を前記資源回収用管の外に放出して前記貯水槽に貯水すると共に前記資源回収用管内の海水又は湖水を徐々に上部に移動させて循環することにより前記資源回収開口より挿入されたガスハイドレートを含む前記資源を前記資源回収用管内に採取又は採掘すると共に前記気体排気手段によりガスハイドレートが気化したガスを前記継続的電力供給手段により排気する前記上部気体排出開口から回収した後、前記資源開口閉鎖手段により前記資源回収開口を閉鎖して前記資源を捕獲すると共に前記資源回収用管の前記資源回収開口を海面又は湖面近傍に移動し前記資源回収用管を水平方向に移動して捕獲したガスハイドレートを含む前記資源を回収することを特徴とする。
【手続補正４】
【補正対象書類名】明細書
【補正対象項目名】０００９
【補正方法】変更
【補正の内容】
【０００９】
請求項３に記載のガスハイドレート回収装置は、一端の上部に大きな内外径を具備し上部気体層と前記上部気体層の気体を排出する上部の気体排出開口と水面上の資源排出用開口を備え深層水を含む資源を貯蔵する資源回収槽と前記資源回収槽の下部に他端の資源回収開口を備えた深層水取水管を有するガスハイドレートを含む資源を回収する資源回収手段と、前記資源回収槽の内部を貫通し内部の水面が前記資源回収槽外の水面と同じである際前記資源排出用開口を閉鎖する比重が水より小さな筒状内部貫通部材と、前記気体排出開口から前記筒形内部貫通部材の上部の気体を排気する継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記気体排気手段により排気し前記資源回収槽内の水面を前記資源回収槽外の水面より上部に移動させことにより前記筒状内部貫通部材を前記資源回収槽の上部に移動させ前記資源排出用開口より資源を含む深層水を前記資源回収槽の外に放出すると共に前記資源回収手段内のガスハイドレートを含む資源と海水又は湖水を徐々に上部に移動させて循環することにより前記資源回収開口からガスハイドレートを回収すると共に回収したガスハイドレートが気化したガスを前記気体排出開口から前記継続的電力供給手段により排気する前記気体排気手段により回収することを特徴とする一端の上部に上部気体排出開口及び水面上の下部の深層水のみを通過させるフィルターを具備する深層水排出用開口を具備すると共に資源回収開口と前記資源回収開口を閉鎖する資源開口閉鎖手段を他端の下部に具備する資源回収用管と、前記資源回収用管の一端の上部を保持する保持部材と前記深層水排出用開口から排出される深層水を貯水する着脱可能な貯水槽を具備する浮体構造物と、前記資源回収用管の内部を貫通し内部の水面が前記資源回収用管外の水面と同じの際前記深層水排出用開口を閉鎖する比重が水より小さく中央開口を具備する筒形内部貫通部材と、波力発電等の継続的に電力を供給可能な継続的電力供給手段と、前記上部気体排出開口と接続され前記資源回収用管内で前記筒形内部貫通部材の上部の気体を前記継続的電力供給手段により排気する気体排気手段を備え、前記気体排気手段により前記資源回収用管内の前記筒形内部貫通部材の上部の気体を排気することにより前記資源回収用管内の水面を前記円形資源回収用管外の水面より上部に移動させて前記筒形内部貫通部材を前記資源回収用管内の上部に移動させ前記深層水排出用開口より深層水を前記資源回収用管の外に放出して前記貯水槽に貯水すると共に前記資源回収用管内の海水又は湖水を徐々に上部に移動させて循環することにより前記資源回収開口より挿入されたガスハイドレートを含む前記資源を前記資源回収用管内に採取又は採掘すると共に前記気体排気手段によりガスハイドレートが気化したガスを前記継続的電力供給手段により排気する前記上部気体排出開口から回収した後、前記資源開口閉鎖手段により前記資源回収開口を閉鎖して前記資源を捕獲すると共に前記資源回収用管の前記資源回収開口を海面又は湖面近傍に移動し前記資源回収用管を水平方向に移動して捕獲したガスハイドレートを含む前記資源を回収することを特徴とする。
【手続補正５】
【補正対象書類名】明細書
【補正対象項目名】００１０
【補正方法】変更
【補正の内容】
【００１０】
請求項４に記載のガスハイドレート回収装置は、一端の上部に大きな内外径を具備し上部気体層と前記上部気体層の気体を排出する上部の気体排出開口と水面上の下部の資源排出用開口を備えた深層水を含む資源を貯蔵する資源回収槽と前記資源回収槽の下部に他端の資源回収開口を備えた深層水取水管を有する資源回収手段と、前記資源回収槽の内部を貫通し内部の水面が前記資源回収槽外の水面と同じである際前記資源排出用開口を閉鎖する比重が水より小さな筒状内部貫通部材と、波力発電等電力を継続的に供給可能な継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により前記気体排出開口から排気し前記資源回収槽内の水面を前記資源回収槽外の水面より上部に移動させることにより前記筒状内部貫通部材を前記資源回収槽の上部に移動させ前記資源排出用開口より前記資源回収槽に回収された深層水を含む資源を外部に排出してガスハイドレートを含む資源を前記資源排出用開口より外部に排出してガスハイドレートを含む資源を前記資源回収開口から前記資源回収手段に回収すると共に前記継続的電力供給手段により排気する前記気体排気手段によりガスハイドレートが気化したガスを前記気体排出開口から回収することを特徴とする。
【手続補正６】
【補正対象書類名】明細書
【補正対象項目名】００１１
【補正方法】変更
【補正の内容】
【００１１】
請求項５に記載のガスハイドレート回収装置は、前記継続的電力供給手段が自然エネルギー発電手段と蓄電装置を具備することを特徴とする請求項1〜４のいずれかに記載のガスハイドレート回収装置である。
【手続補正７】
【補正対象書類名】明細書
【補正対象項目名】００１２
【補正方法】変更
【補正の内容】
【００１２】
請求項６に記載のガスハイドレート回収装置は、一端の上部に大きな内外径を具備し上部気体層と前記上部気体層の気体を排出する上部の気体排出開口と水面上の下部の資源排出用開口を備え深層水を含むガスハイドレートを回収する資源回収槽と前記資源回収槽の下部に他端の資源回収開口を備えた深層水取水管を有するガスハイドレート採掘手段と、前記資源回収槽の内部を貫通し内部の水面が前記資源回収槽外の水面と同じである際前記資源排出用開口を閉鎖する比重が水より小さな筒状内部貫通部材と、波力発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記継続的電力供給手段により排気する前記気体排気手段によりガスハイドレー、トが気化したガスを前記気体排出開口から回収することを特徴とする。
【手続補正８】
【補正対象書類名】明細書
【補正対象項目名】００１３
【補正方法】変更
【補正の内容】
【００１３】
請求項７に記載のガスハイドレート回収装置は、一端の上部に大きな内外径を具備し上部気体層と前記上部気体層の気体を排出する上部の気体排出開口と水面上の下部の資源排出用開口を備え深層水を含む資源を回収する資源回収槽と前記資源回収槽の下部に他端の資源回収開口を備えた深層水取水管を有する資源回収手段と、前記資源回収槽の内部を貫通し内部の水面が前記資源回収槽外の水面と同じである際前記資源排出用開口を閉鎖する比重が水より小さな筒状内部貫通部材と、深層水温度差発電の継続的電力供給手段と、前記気体排出開口と接続され前記資源回収用管内で前記筒形内部貫通部材の上部の気体を排気する気体排気手段を備え、前記資源回収槽内で前記上部気体層の気体を前記継続的電力供給手段により排気し前記資源回収槽内の水面を前記資源回収槽外の水面より上部に移動させることにより前記筒状内部貫通部材を前記資源回収槽の上部に移動させ前記資源回収槽に回収された深層水を含む資源を外部に排出すると共に前記継続的電力供給手段により排気する前記継気体排気手段によりガスハイドレートが気化したガスを前記気体排出開口から回収することを特徴とする。
【手続補正９】
【補正対象書類名】明細書
【補正対象項目名】００１４
【補正方法】変更
【補正の内容】
【００１４】
請求項８に記載の深層水温度差発電装置を具備するガスハイドレート回収装置は、作動流体ガ深層水に通過する凝縮器と作動流体ガ表層水に通過する蒸発器を有する深層水温度差発電装置において、作動流体の気体を内蔵する作動気体空間と、前記作動気体空間内を回転する回転翼を有する大型回転子とを備えた大型回転子内蔵室と、一端の上部に大きな内外径を具備し上部空気層と前記上部空気層の空気を排出する上部の空気排出開口と水面上の水排出用開口とを備えた深層水貯蔵槽と前記深層水貯蔵槽の下部に他端の深層水取水開口を備えたライザー管を具備する深層水取水手段と前記深層水貯蔵槽の内部を貫通し内部の水面が前記深層水貯蔵槽外の水面と同じである際前記水排出用開口を閉鎖する比重が水より小さな筒状内部貫通部材とを有し前記深層水貯蔵槽内で上部の空気を継続的電力供給手段により排気し前記深層水貯蔵槽内の水面を前記深層水貯蔵槽外の水面より上部に移動させることにより前記筒状内部貫通部材を前記深層水貯蔵槽の上部に移動させ前記水排出用開口より前記深層水貯蔵槽に貯蔵された深層水を外部に排出する深層水貯蔵浮体部材と、一端の上部に大きな内外径を具備し上部気体層と前記上部気体層の気体を排出する上部の気体排出開口と水面上の資源排出用開口及び水面下での加熱手段を備えた深層水を含むガスハイドレート等の資源を回収する環状資源回収槽と前記環状資源回収槽の下部に他端の資源採掘開口を備えた深層水取水管を有する資源採掘手段と前記環状資源回収槽の内部を貫通し内部の水面が前記環状資源回収槽外の水面と同じである際前記資源排出用開口を閉鎖する比重が水より小さな筒状内部貫通部材を備えた資源回収手段と、底部から表層水が挿入される筒状表層水貯蔵浮体部材と、前記筒状表層水貯蔵浮体部材内に内蔵される作動流体の蒸発器と、前記大型回転子内蔵室の作動気体空間と前記深層水貯蔵槽に内蔵される凝縮器を連結する第一連結管を内蔵する第一の気密性部材と、前記回転翼に噴射する先端ノズルを備え前記大型回転子内蔵室の作動回転気体空間と前記蒸発器を連結する第二連結管を内蔵し円周上略等間隔の角度で配置される複数個の第二の気密性部材と、前記蒸発器と前記凝縮器を連結する作動流体連結管とを具備し、前記深層水貯蔵槽内で前記筒状内部貫通部材の上部の空気を排気し前記深層水貯蔵槽内の水面を前記深層水貯蔵槽外の水面より上部に移動させることにより前記筒状内部貫通部材を上部に移動させ前記水排出用開口より回収された深層水を前記深層水貯蔵槽の外に排出して前記ライザー管内の海水又は湖水を上部に移動させ前記深層水取水手段内の海水又は湖水を循環することにより前記深層水取水開口より深層水を前記深層水貯蔵槽内に取水すると共に前記大型子内蔵室の作動気体空間と前記凝縮器を連結する前記第一連結管を通過した前記作動気体が前記深層水貯蔵槽内の前記凝縮器により液体の作動流体となり、前記液体の作動流体は前記作動流体連結管を介して前記筒状表層水貯蔵浮体部材に内蔵された蒸発器を通過して気体の作動流体となり前記第二連結管に備えられた先端ノズルを介して大型回転子の前記回転翼に噴射すると共に前記環状資源回収槽内で前記上部気体層の気体を継続的電力供給手段により排気し前記環状資源回収槽内の水面を前記環状資源回収槽外の水面より上部に移動させることにより前記筒状内部貫通部材を前記環状資源回収槽の上部に移動させ前記資源排出用開口より前記環状資源回収槽に回収された深層水を含む資源を外部に排出してガスハイドレートを含む資源を回収すると共に電力を継続的に供給可能な前記継続的電力供給手段により排気する前記気体排気手段によりガスハイドレートが気化したガスを前記気体排出開口から回収することを特徴とする。